(57)【特許請求の範囲】
【請求項１】
ディスプレイの残像レベルを確定する方法であって、
残像テストをした後にディスプレイが表示する残像の輝度変化指数及び前記残像の面積指数を確定するステップと、
確定された前記輝度変化指数及び面積指数によって前記ディスプレイの残像レベルを確定するステップと、を含み、
前記残像の輝度変化指数は、前記残像テストをした後にディスプレイが表示する残像の輝度差の値と前記残像テストをする前のディスプレイの輝度値との百分比であり、
前記残像の面積指数は、残像面積がディスプレイの表示面積を占める百分比であることを特徴とするディスプレイの残像レベルを確定する方法。
【請求項２】
前記残像テストをする前のディスプレイの輝度値は、前記ディスプレイが単一の色値の画面を表示するときの輝度値であることを特徴とする請求項１に記載のディスプレイの残像レベルを確定する方法。
【請求項３】
確定された前記輝度変化指数及び面積指数によって、前記ディスプレイの残像レベルを確定するステップは、
確定された残像の輝度変化指数と面積指数との積によって、前記ディスプレイの残像レベルを確定するステップを備えることを特徴とする請求項１に記載のディスプレイの残像レベルを確定する方法。
【請求項４】
前記残像の前記輝度差の値が、
前記残像テストをするときにディスプレイに表示される画面が単一の色値を有する画面である場合、前記残像テストをした後にディスプレイに表示される残像の１つの輝度値に対して、当該輝度値と前記残像テストをする前のディスプレイの輝度値との差値の絶対値を、当該輝度値に対応する輝度差の値とするステップによって確定され、
前記残像テストをするときにディスプレイに表示される画面が黒色及び白色の２種類を有する画面である場合、前記残像テストをした後の黒色画面の残像および白色画面の残像に対応する一群の輝度値に対して、当該群において黒色画面の残像および前記白色画面の残像に対応する輝度値の差値の絶対値を、当該一群の輝度値に対応する輝度差の値とするステップとによって確定される、
ことを特徴とする請求項１に記載のディスプレイの残像レベルを確定する方法。
【請求項５】
前記残像テストをする時にディスプレイに表示される画面が単一の色値を有する画面である場合、確定された前記輝度変化指数及び面積指数によって前記ディスプレイの残像レベルを確定するステップは、
前記残像テストをした後、ディスプレイに表示される残像が２つ以上の輝度値を有すると、その中の１つの輝度値に対して、当該輝度値に対応する輝度差の値によって当該輝度値に対応する輝度変化指数を確定し、当該輝度値に対応する輝度変化指数と当該輝度値を有する残像の面積指数とを掛けて当該輝度値に対応する残像指数を得るステップと、
全ての輝度値に対応する残像指数を加えて得た結果によって、前記残像レベルを確定するステップと、
を備えることを特徴とする請求項４に記載のディスプレイの残像レベルを確定する方法。
【請求項６】
前記残像テストをするときにディスプレイに表示される画面が黒色及び白色の２種類を有する画面である場合、各群の輝度値に対応する輝度差の値を確定するステップは、
前記残像テストをした後にディスプレイに表示される画面の全ての領域ブロックから残像を有する領域ブロックを選択して、残像を有する各領域ブロックに対応する輝度値を確定するステップと、
前記全ての領域ブロックにおいて、同じ輝度値を有する領域ブロックを１つの残像領域に区画するステップと、
１つの黒色画面の残像領域及び１つの白色画面の残像領域によって１つの残像群を区画し、その中の１つの残像群に対して、当該群内の黒色画面の残像領域及び白色画面の残像領域に対応する残像の輝度値の差を当該群に対応する輝度差の値とするステップと、
を含み、
前記全ての領域ブロックにおける各領域ブロックは、黒色画面の残像のみを含み、或は白色画面の残像のみを含み、或いはいずれの残像も含んでおらず、
同一の群内で、黒色画面の残像領域に対応する輝度値と前記残像テストをする前にディスプレイに表示された画面の輝度値との差値の絶対値と、白色画面の残像領域に対応する輝度値と前記残像テストをする前にディスプレイに表示される画面の輝度値との差値の絶対値とは、その差が設定範囲内にあり、
確定された前記輝度変化指数及び面積指数によって前記ディスプレイの残像レベルを確定するステップは、
１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得るステップと、
全ての残像群に対応する残像指数を加えて得た結果によって、前記残像レベルを確定するステップと、を含むことを特徴とする請求項４に記載のディスプレイの残像レベルを確定する方法。
【請求項７】
ディスプレイの残像レベルを確定する装置であって、
残像テストをした後、ディスプレイが表示する残像の輝度変化指数及び前記残像の面積指数を確定する第１確定モジュールと、
確定された前記輝度変化指数及び面積指数によって前記ディスプレイの残像レベルを確定する第２確定モジュールと、を備え、
前記残像の輝度変化指数とは、前記残像テストをした後、ディスプレイが表示する残像の輝度差の値と残像テストをする前のディスプレイの輝度値との百分比であり、
前記残像の面積指数とは、残像面積がディスプレイ表示面積を占める百分比であることを特徴とするディスプレイの残像レベルを確定する装置。
【請求項８】
前記第１確定モジュールによって確定された、前記残像テストをする前のディスプレイの輝度値は、前記ディスプレイが単一の色値の画面を表示する時の輝度値であることを特徴とする請求項７に記載のディスプレイの残像レベルを確定する装置。
【請求項９】
前記第２確定モジュールが、確定された残像の輝度変化指数と面積指数との積によって前記ディスプレイの残像レベルを確定することを特徴とする請求項７に記載のディスプレイの残像レベルを確定する装置。
【請求項１０】
前記第１確定モジュールが、
前記残像テストをするときにディスプレイに表示される画面が単一の色値を有する画面である場合、前記残像テストをした後にディスプレイが表示する残像の１つの輝度値に対して、当該輝度値と前記残像テストをする前のディスプレイの輝度値との差値の絶対値を、当該輝度値に対応する輝度差の値とするものであり、
前記残像テストをする時にディスプレイに表示される画面が黒色及び白色の２種類を有する画面である場合、前記残像テストをした後の黒色画面の残像及び白色画面の残像に対応する１群の輝度値に対して、当該群において黒色画面の残像と白色画面の残像に対応する輝度値の差値の絶対値を、当該群の輝度値に対応する輝度差の値とするものであることを特徴とする請求項７に記載のディスプレイの残像レベルを確定する装置。
【請求項１１】
前記残像テストをする時にディスプレイに表示される画面が単一の色値を有する画面である場合、前記第１確定モジュールは、
前記残像テストをした後、ディスプレイに表示される残像が２つ以上の輝度値を有すると、その中の１つの輝度値に対して、当該輝度値に対応する輝度差の値によって当該輝度値に対応する輝度変化指数を確定し、当該輝度値に対応する輝度変化指数と当該輝度値を有する残像の面積指数とを掛けて当該輝度値に対応する残像指数を得て、且つ、全ての輝度値に対応する残像指数を加えて得た結果によって、前記残像レベルを確定することを特徴とする請求項１０に記載のディスプレイの残像レベルを確定する装置。
【請求項１２】
前記残像テストをする時にディスプレイに表示される画面が黒色及び白色の２種類を有する画面である場合、前記第１確定モジュールは、
前記残像テストをした後にディスプレイが表示する画面の全ての領域ブロックから残像を有する領域ブロックを選択して、残像を有する各領域ブロックに対応する輝度値を確定し、前記全ての領域ブロックにおいて同じ輝度値を有する領域ブロックを１つの残像領域に区画し、１つの黒色画面の残像領域及び１つの白色画面の残像領域によって１つの残像群を区画し、その中の１つの残像群に対して、当該群内の黒色画面の残像領域および白色画面の残像領域に対応する残像の輝度値の差を、当該群に対応する輝度差の値とし、
前記前記全ての領域ブロックにおいて、各領域ブロックが、黒色画面の残像のみ含み、或は白色画面の残像のみを含み、或はいずれの残像も含んでおらず、
同一の群内で、黒色画面の残像領域に対応する輝度値と前記残像テストをする前にディスプレイに表示された画面の輝度値との差値の絶対値と、白色画面の残像領域に対応する輝度値と前記残像テストをする前にディスプレイに表示された画面の輝度値との差値の絶対値とは、その差が設定範囲内にある、
ものであり、
前記第２確定モジュールは、
１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得て、
全ての残像群に対応する残像指数を加えて得た結果によって、前記残像レベルを確定する、ものであることを特徴とする請求項１０に記載のディスプレイの残像レベルを確定する装置。
【発明の詳細な説明】
【技術分野】
【０００１】
本発明は、表示技術の分野に関し、特に、ディスプレイの残像レベルを確定する方法及び装置に関する。
【背景技術】
【０００２】
フラットパネルディスプレイの普及につれて、フラットパネルディスプレイに対する要求がますます高まり、フラットパネルディスプレイのメーカも製品品質の向上を一層重視している。しかし、残像問題は、フラットパネルディスプレイの画面品質にずっと影響している。
【０００３】
残像とは、ディスプレイが１つの画面を長時間に表示してから他の画面に切り替えるとき、ディスプレイに残された元の画面の残った像である。液晶ディスプレイは、フラットパネルディスプレイの１種として、１つの画面を長時間表示した後、外部電界によって残り電荷が生じてしまい、これらの残り電荷によって、液晶ディスプレイが他の画面に切り替えても新しい画面が適時に表示できず、元の画面の残像が残り、液晶ディスプレイの表示効果に影響する。同じ現象は、プラズマテレビ等の他のフラットパネルディスプレイにも現れる。
【発明の概要】
【発明が解決しようとする課題】
【０００４】
従来の技術によれば、主に、目視で残像レベルのサンプルと比較して残像レベルを確定している。この人間の目で残像レベルを確定する方法は、強い主観性を有し、判定結果が人々の視覚的な差異によって異なることが多いため、異なる人間によって確定される残像レベルも異なり、ディスプレイの画面品質を正確に確定することができない。そのため、メーカがディスプレイを効果的に改善することができない。
【０００５】
上述したように、今は、人間の目でディスプレイの残像レベルを確定するだけで、正確性が低い。
【課題を解決するための手段】
【０００６】
本発明は、従来技術において、人間の目でディスプレイの残像レベルを確定するため、その正確性が低い問題を解決するディスプレイの残像レベルを確定する方法及び装置を提供する。
【０００７】
本発明の実施形態に係る残像レベルを確定する方法は、残像テストをした後、ディスプレイが表示する残像の輝度変化指数及び前記残像の面積指数を確定するステップと、確定された前記輝度変化指数及び面積指数によって前記ディスプレイの残像レベルを確定するステップと、を含み、前記残像の輝度変化指数とは、残像テストをした後にディスプレイが表示する残像の輝度差の値と残像テストをする前のディスプレイの輝度値との百分比であり、前記残像の面積指数とは、残像面積がディスプレイの表示面積を占める百分比であるる。
【０００８】
また、前記残像テストをする前のディスプレイの輝度値は、前記ディスプレイが単一の色値の画面を表示する時の輝度値である。
【０００９】
また、確定された前記輝度変化指数及び面積指数により、ディスプレイの残像レベルを確定するステップは、確定された残像の輝度変化指数と面積指数との積によってディスプレイの残像レベルを確定するステップを含む。
【００１０】
また、残像の輝度差の値は、
残像テストをするときにディスプレイに表示される画面が単一の色値を有する画面である場合、残像テストをした後のディスプレイが表示する残像の１つの輝度値に対して、当該輝度値と残像テスト前のディスプレイの輝度値との差値の絶対値を、当該輝度値に対応する輝度差の値とするステップにより確定され、
残像テストをするときにディスプレイに表示される画面が黒色および白色の２種類を有する画面である場合、残像テストをした後の黒色画面の残像及び白色画面の残像に対応する１群の輝度値に対して、当該群において黒色画面の残像と白色画面の残像とに対応する輝度値の差値の絶対値を、当該群の輝度値に対応する輝度差の値とするステップにより確定される。
【００１１】
また、残像テストをするときにディスプレイに表示される画面が単一の色値を有する画面である場合、確定された前記輝度変化指数及び面積指数により、ディスプレイの残像レベルを確定するステップは、
残像テストをした後、ディスプレイに表示される残像が２つ以上の輝度値を有すると、その中の１つの輝度値に対して、当該輝度値に対応する輝度差の値により当該輝度値に対応する輝度変化指数を確定し、当該輝度値に対応する輝度変化指数と当該輝度値を有する残像の面積指数とを掛けて当該輝度値に対応する残像指数を得るステップと、
全ての輝度値に対応する残像指数を加えて得た結果に基づいて、前記残像レベルを確定するステップと、を含む。
【００１２】
また、残像テストをするときにディスプレイに表示される画面が黒色及び白色の２種類を有する画面である場合、各群の輝度値に対応する輝度差の値を確定するステップは、
残像テストをした後にディスプレイが表示する画面の全ての領域ブロックから残像を有する領域ブロックを選択して、残像を有する各領域ブロックに対応する輝度値を確定するステップと、
前記全ての領域ブロックにおいて、同じ輝度値を有する領域ブロックを１つの残像領域に区画するステップと、
１つの黒色画面の残像領域及び１つの白色画面の残像領域によって１つの残像群を区画し、その中の１つの残像群に対して、当該群内の黒色画面の残像領域及び白色画面の残像領域に対応する残像の輝度値の差を当該群に対応する輝度差の値とするステップと、
を含み、
前記残像を有する領域ブロックを選択し、残像を有する各領域ブロックに対応する輝度値を確定するステップにおいて、前記全ての領域ブロックにおける各領域ブロックが、
黒色画面の残像のみを含み、或は白色画面の残像のみを含み、或はいずれの残像も含まず、
前記１つの残像群を区画し、その中の１つの残像群に対して輝度差の値を確定するステップにおいて、同一の群内で、黒色画面の残像領域に対応する輝度値と残像テストをする前にディスプレイに表示された画面の輝度値との差値の絶対値と、白色画面の残像領域に対応する輝度値と残像テストをする前にディスプレイに表示された画面の輝度値との差値の絶対値とは、その差が設定範囲内にあり、
確定された前記輝度変化指数及び面積指数によってディスプレイの残像レベルを確定するステップは、
１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得るステップと、
全ての残像群に対応する残像指数を加えて得た結果によって、前記残像レベルを確定するステップと、を含む。
【００１３】
本発明の実施形態に係る残像レベルを確定する装置は、
残像テストをした後、ディスプレイが表示する残像の輝度変化指数及び前記残像の面積指数を確定する第１確定モジュールと、
確定された前記輝度変化指数及び面積指数によって前記ディスプレイの残像レベルを確定する第２確定モジュールと、を備え、
前記残像の輝度変化指数とは、残像テストをした後にディスプレイに表示される残像の輝度差の値と残像テストをする前のディスプレイの輝度値との百分比であり、前記残像の面積指数とは、残像面積がディスプレイ表示面積を占める百分比である。
【００１４】
また、前記第１確定モジュールに確定された、残像テストをする前のディスプレイの輝度値は、前記ディスプレイが単一の色値の画面を表示する時の輝度値である。
【００１５】
また、前記第２確定モジュールは、確定された残像の輝度変化指数と面積指数との積によりディスプレイの残像レベルを確定する。
【００１６】
また、前記第１確定モジュールは、
残像テストをする時にディスプレイに表示される画面が単一の色値を有する画面である場合、残像テストをした後にディスプレイが表示する残像の１つの輝度値に対して、当該輝度値と残像テストをする前のディスプレイの輝度値との差値の絶対値を、当該輝度値に対応する輝度差の値とするものであり、
残像テストをする時にディスプレイに表示される画面が黒色及び白色の２種類を有する画面である場合、残像テストをした後の黒色画面の残像及び白色画面の残像に対応する１群の輝度値に対して、当該群において黒色画面の残像と白色画面の残像とに対応する輝度値の差値の絶対値を、当該群の輝度値に対応する輝度差の値とするものである。
【００１７】
また、残像テストをする時にディスプレイに表示される画面が単一の色値を有する画面である場合、前記第１確定モジュールは、
残像テストをした後、ディスプレイに表示される残像が２つ以上の輝度値を有すると、その中の１つの輝度値に対して、当該輝度値に対応する輝度差の値によって当該輝度値に対応する輝度変化指数を確定し、当該輝度値に対応する輝度変化指数と当該輝度値を有する残像の面積指数とを掛けて当該輝度値に対応する残像指数を得て、全ての輝度値に対応する残像指数を加えて得た結果に基づいて、前記残像レベルを確定するものである。
【００１８】
また、残像テストをする時にディスプレイに表示される画面が黒色および白色の２種類を有する画面である場合、前記第１確定モジュールは、
残像テストをした後にディスプレイが表示する画面の全ての領域ブロックから残像を有する領域ブロックを選択して、残像を有する各領域ブロックに対応する輝度値を確定し、前記全ての領域ブロックにおいて、同じ輝度値を有する領域ブロックを１つの残像領域に区画し、１つの黒色画面の残像領域及び１つの白色画面の残像領域によって１つの残像群を区画し、その中の１つの残像群に対して、当該群内の黒色画面の残像領域及び白色画面の残像領域に対応する残像の輝度値の差を、当該群に対応する輝度差の値とし、
前記全ての領域ブロックにおける各領域ブロックが、黒色画面の残像のみを含み、又は白色画面の残像のみを含み、或いはいずれの残像も含んでおらず、
同一の群内で、黒色画面の残像領域に対応する輝度値と残像テストをする前にディスプレイに表示された画面の輝度値との差値の絶対値と、白色画面の残像領域に対応する輝度値と残像テストをする前にディスプレイに表示された画面の輝度値との差値の絶対値とは、その差が設定範囲内にある、
ものであり、
前記第２確定モジュールは、
１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得て、
全ての残像群に対応する残像指数を加えて得た結果によって、前記残像レベルを確定する、
ものである。
【００１９】
本発明の実施形態は、残像テストをした後に表示する残像の輝度変化指数及び前記残像の面積指数を確定することにより、ディスプレイの残像レベルを確定し、前記残像の輝度変化指数とは、残像テストをした後にディスプレイに表示される残像の輝度差の値と残像テストをする前のディスプレイの輝度値との百分比であり、残像の面積指数とは、残像面積がディスプレイの表示面積を占める百分比である。このように、残像の輝度変化指数及び面積指数は全部客観的に確定できるものであるため、本発明の実施形態によれば、人間の目で観察する主観的な方式を用いることなく、ディスプレイの残像レベルを客観的に確定することができ、ディスプレイの残像レベルに対する確定の正確性を向上させる。
【図面の簡単な説明】
【００２０】
【図１】本発明の実施形態に係る黒色の碁盤目画面によってディスプレイに対して残像テストをした後、ディスプレイが表示する残像を有する画面を示す概略図である。
【図２】本発明の実施形態に係る黒白が交互する碁盤目画面によってディスプレイに対して残像テストをした後、ディスプレイが表示する残像を有する画面を示す概略図である。
【図３】残像テストをした後、ディスプレイが単一の輝度値を有する残像を表示することを示す概略図である。
【図４】残像テストをした後、ディスプレイが複数の輝度値を有する残像を表示することを示す概略図である。
【図５】本発明の実施形態に係る残像レベルを確定する装置の構造図である。
【発明を実施するための形態】
【００２１】
本発明は、残像テストをした後に表示される残像の輝度変化指数及び前記残像の面積指数を確定することによって、ディスプレイの残像レベルを確定するものであり、前記残像の輝度変化指数とは、残像テストをした後にディスプレイに表示される残像の輝度差の値と残像テストをする前のディスプレイの輝度値との百分比であり、残像の面積指数とは、残像面積がディスプレイの表示面積を占める百分比である。残像の輝度変化指数及び面積指数は、客観的に確定することができるため、本発明の実施形態によれば、人間の目で確定することなく、ディスプレイの残像レベルを客観的に確定することができ、ディスプレイの残像レベルに対する確定の正確性を向上させる。
【００２２】
以下、図面を参照しながら本発明の実施形態をさらに詳しく説明する。
【００２３】
本発明の実施形態に係る残像レベルを確定する方法は、
残像テストをした後にディスプレイに表示される残像の輝度変化指数及び残像の面積指数を確定するステップＳ１０１と、
確定された残像の輝度変化指数及び面積指数によって、ディスプレイの残像レベルを確定するステップＳ１０２と、を含み、
残像の輝度変化指数とは、残像テストをした後にディスプレイに表示される残像の輝度差の値と残像テストをする前のディスプレイの輝度値との百分比であり、残像の面積指数とは、残像面積がディスプレイの表示面積を占める百分比である。
【００２４】
例えば、残像テストをする前のディスプレイの輝度値は、ディスプレイが単一の色値の画面を表示する時の輝度値である。
【００２５】
ステップＳ１０１では、ディスプレイに対して残像テストをする前に、ディスプレイに単一の色値の画面、言い換えれば、色値が唯一である画面を表示する。例えば、全画面に色値が（１２７、１２７、１２７）である灰色の画面を表示する。そして、光学テスト設備によって、このときのディスプレイの輝度値をテストする。残像テストをするときのテスト画面は、色値が唯一であって輝度値が残像テストをする前と異なる画面、例えば、全画面に色値が（０、０、０）である黒色の画面、或いは色値が（２５５、２５５、２５５）である白色の画面を選択してもよい。さらに、テスト画面は、２つの異なる色値を有する画面、例えば、黒い領域及び白い領域を同時に具備する画面であってもよい。例えば、黒色と白色が交互になる碁盤のような画面であってもよい。テストが終了した後、表示画面を、残像テストをする前の表示画面、例えば、前の色値が（１２７、１２７、１２７）である灰色の画面に切り替えると、ディスプレイに表示される画面に、残像が生じる可能性があり、残像の輝度変化指数及び面積指数によってディスプレイの残像レベルを確定することができる。
【００２６】
例えば、確定された輝度変化指数及び面積指数によってディスプレイの残像レベルを確定するステップは、
確定された残像の輝度変化指数と面積指数との積によって、ディスプレイの残像レベルを確定するステップを含む。
【００２７】
１つの実施形態において、残像の輝度変化指数及び面積指数によって、それぞれに残像のレベルを示してもよい。つまり、輝度変化指数のみによってディスプレイの残像レベルを確定してもよく、或いは、面積指数のみによってディスプレイの残像レベルを確定してもよい。さらに、残像の輝度変化指数及び面積指数を組み合わせて考慮してもよい。つまり、輝度変化指数と面積指数との積によってディスプレイの残像レベルを確定する。ここで、輝度変化指数と面積指数との積は、残像指数と称される。１つの実施形態では、実際の状況により、異なる残像指数が属する残像レベルを予め設定してもよい。例えば、残像指数が０.１以下である場合、一級残像とし、残像指数が０.１〜０.２との間である場合、二級残像とする。残像レベルが高くなるほどディスプレイの表示効果が悪くなる。
【００２８】
例えば、ディスプレイの輝度差の値を確定する方式には、以下の２つがある。
【００２９】
方式１、残像テストをするときにディスプレイに表示される画面が単一の色値を有する画面である場合、残像テストをした後にディスプレイに表示される残像の１つの輝度値に対して、当該輝度値と残像テストをする前のディスプレイの輝度値との差値の絶対値を、当該輝度値に対応する輝度差の値とする。
【００３０】
１つの実施形態では、テスト画面の色値が唯一である画面である場合、残像テストをした後にディスプレイが表示する残像の輝度差の値は、残像テストをした後のディスプレイが表示する残像の輝度値と残像テストをする前のディスプレイの輝度値との差の絶対値である。なお、残像テストをした後に表示される残像の輝度値が唯一であると、輝度差の値が１つのみである。残像テストをした後に表示される残像が複数の輝度値を有すると、残像の各輝度値と残像テストをする前の輝度値とをそれぞれ減算して絶対値を取り、各輝度値に対応する輝度差の値を得る。即ち、このとき、ディスプレイに表示される残像の輝度差の値は複数ある。ここで、残像画面が複数の輝度値を有することは、残像画面が複数の輝度平均値を有することを意味してもよい。即ち、ディスプレイの表示画面を複数の領域ブロックに区画し、残像テストをした後に残像領域ブロックを確定し、各残像領域ブロックが１つの輝度平均値を有し、全ての残像領域ブロックが複数の異なる輝度平均値を有してもよい。ここで、領域ブロックは碁盤目等であってもよい。
【００３１】
例えば、残像テストをするときにディスプレイに表示される画面が単一の色値を有する画面である場合、確定された輝度変化指数及び面積指数によって、ディスプレイの残像レベルを確定するステップは、
残像テストをした後、ディスプレイが表示する残像が２つ以上の輝度値を有すると、その中の１つの輝度値に対して、当該輝度値に対応する輝度差の値により、当該輝度値に対応する輝度変化指数を確定し、当該輝度値に対応する輝度変化指数と当該輝度値を有する残像の面積指数とを掛けて当該輝度値に対応する残像指数を得るステップと、
全ての輝度値に対応する残像指数を加えて得た結果によって、残像レベルを確定するステップと、を含む。
【００３２】
１つの実施形態では、残像テストをした後にディスプレイに表示される残像が２つ以上の輝度値を有する場合、その中の各輝度値に対して、上述したステップによって各輝度値に対応する残像指数を確定し、全ての輝度値に対応する残像指数を加えて、加算した結果によってディスプレイの残像レベルを確定する。ここで、輝度値は、輝度平均値であってもよい。例えば、残像テストをする前に、ディスプレイが全画面に表示するのは、色値が（１２７、１２７、１２７）である灰色の画面であり、且つ、テストをする前のディスプレイの輝度値がＹであり、残像テストをするときのテスト画面が黒色碁盤目である。残像テストをした後、即ち、残像テストをしてからディスプレイが表示する画面の色値を残像テストをする前の色値に切り替えた後、ディスプレイが表示するのは、残像を有する画面である。例えば、黒色碁盤目の画面でディスプレイに対して残像テストをした後、図２に示すような、ディスプレイが表示する残像を有する画面である。ここで、各碁盤目は、１つの輝度平均値を有する。１０個の碁盤目が残像を表示し、Ｙ（ｂ１）及びＹ（ｂ２）の２つの輝度平均値を有する。即ち、残像テストをした後、ディスプレイが表示する残像は２つの輝度値を有する。輝度値Ｙ（ｂ１）に対して、当該輝度値に対応する輝度変化指数はＡ１＝|Ｙ（ｂ１）−Ｙ｜／Ｙであり、輝度値Ｙ（ｂ１）を有する碁盤目が６つあり、ディスプレイが表示する総面積に１５個の碁盤目があるため、輝度値Ｙ（ｂ１）に対応する面積指数は、Ｂ１＝６/１５である。同じように、輝度値Ｙ（ｂ２）に対応する輝度変化指数は、Ａ２＝|Ｙ（ｂ２）−Ｙ｜／Ｙであり、対応する面積指数はＢ２＝４/１５である。これによって、当該ディスプレイに表示される残像の全ての輝度値に対応する残像指数の和は、ＳＱ＝Ａ１×Ｂ１＋Ａ２×Ｂ２であり、得られたＳＱ値によってディスプレイの残像レベルを確定する。
【００３３】
方式２、残像テストをするときにディスプレイに表示される画面が黒色および白色の２種類を有する画面である場合、残像テストをした後の黒色画面の残像及び白色画面の残像に対応する１群の輝度値に対して、この群において、黒色画面の残像と白色画面の残像とに対応する輝度値の差値の絶対値によって、この群の輝度値に対応する輝度差の値を確定する。
【００３４】
１つの実施形態おいて、テスト画面が黒色および白色の２種類を有する画面である場合、残像テストをした後のディスプレイの輝度差の値は、２種類の画面が残像テストをした後の残像の輝度値の差であってもよい。例えば、残像テストをした後に、ディスプレイに表示される黒色画面の残像及び白色画面の残像がそれぞれ単一の輝度値を有すると、黒色画面の残像の輝度値と白色画面の残像の輝度値との差の絶対値を、そのままディスプレイが表示する残像の輝度差の値としてもよい。残像テストをした後、ディスプレイに表示される黒色画面の残像及び白色画面の残像がそれぞれ複数の輝度値を有すると、或いは、黒色画面及び白色画面の中の１種の画面の残像が複数の輝度値を有すると、これらがそれぞれに具備する輝度値によって残像テストをした後にディスプレイが表示する残像画面を異なる残像群に区画する。各群内で、黒色画面の残像が同じ輝度値を有し、白色画面の残像が同じ輝度値を有し、且つ、同一の群内で、黒色画面及び白色画面の残像が示される程度は接近している。つまり、黒色画面の残像の輝度値と残像テストをする前のディスプレイの輝度値との差の絶対値は、白色画面の残像の輝度値と残像テストをする前のディスプレイの輝度値との差の絶対値に接近する。
【００３５】
例えば、残像テストをするときにディスプレイに表示される画面が黒色及び白色の２種類を有する画面である場合、各群の輝度値に対応する輝度差の値を確定するステップは、
残像テストをした後にディスプレイが表示する画面の全ての領域ブロックから残像を有する領域ブロックを選択し、残像を有する各領域ブロックに対応する輝度値を確定するステップと、
全ての領域ブロックにおいて同じ輝度値を有する領域ブロックを１つの残像領域に区画するステップと、
１つの黒色画面の残像領域と１つの白色画面の残像領域とによって１つの残像群を区画し、その中の１つの残像群に対して、当該群内の黒色画面の残像領域及び白色画面の残像領域に対応する残像の輝度値の差を、当該群に対応する輝度差の値とするステップと、
を含み、その中で、
全ての領域ブロックにおける各領域ブロックは、黒色画面の残像のみを含み、或は白色画面の残像のみを含み、
同一の群内で、黒色画面の残像領域に対応する輝度値と残像テストをする前にディスプレイに表示された画面の輝度値との差値の絶対値と、白色画面の残像領域に対応する輝度値と残像テストをする前にディスプレイに表示された画面の輝度値との差値の絶対値とは、その差が、設定範囲内にあり、
確定された輝度変化指数及び面積指数によってディスプレイの残像レベルを確定するステップは、
１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得るステップと、
全ての残像群に対応する残像指数を加えて得た結果によって、ディスプレイの残像レベルを確定するステップと、を含む。
【００３６】
１つの実施形態において、上述したステップにおける領域ブロックは、ストラップ/格子形、円形、方形等であり、例えば、図２及び３に示す碁盤目である。図面において、各碁盤目領域は、１つの輝度値に対応している。ここで、輝度値とは、各碁盤目領域に対応する全ての画素の輝度平均値を指す。残像テストをした後、黒色画面の残像及び白色画面の残像が１つの輝度値だけをそれぞれ具備する可能性がある。このとき、黒色の画面残像および白色の画面残像の輝度値の差をそれぞれ確定し、輝度変化指数及び残像の面積指数をさらに確定して、ディスプレイの残像指数を確定する。残像テストをした後、黒色画面及び白色画面の中の少なくとも１種の画面の残像が２つ以上の輝度値を有すると、残像を有する領域ブロックおよびその中の各領域ブロックの輝度値を確定した後、同じ輝度値を有する領域ブロックを１つの残像領域に区画する。黒色画面の残像及び白色画面の残像は、その輝度値が異なるため、それぞれ異なる残像領域に属する。このとき、各黒色画面の残像領域に当該黒色画面の残像領域とマッチングする白色画面の残像領域を選択して、このような２つの領域を１つの残像群として区画する。１つの残像群内で、黒色画面の残像と白色画面の残像との輝度値の差の絶対値を、当該残像群に対応する輝度差の値にして、当該残像群に対応する輝度変化指数を確定する。図３は、黒色及び白色が交互する碁盤目画面によってディスプレイに対して残像テストをした後、ディスプレイが表示する残像を有する画面である。ディスプレイに表示される画面の総１５個の領域ブロックにおいて、１０個の領域ブロックが残像を表示し、Ｙ（ｂ１）、Ｙ（ｂ２）が黒色画面の残像の輝度値であり、Ｙ（ｗ１）、Ｙ（ｗ２）が白色画面の残像の輝度値である。輝度値が同じくＹ（ｂ１）である領域ブロックを１つの残像領域に区画する。同じように、輝度値が同じくＹ（ｂ２）、Ｙ（ｗ１）、Ｙ（ｗ２）である領域ブロックをそれぞれに１つの残像領域として区画する。黒色画面の残像にマッチングする白色画面の残像を確定して、これらを１つの残像群として区画する。例えば、輝度値がＹ（ｂ１）である黒色画面の残像と輝度値がＹ（ｗ１）である白色画面の残像とが残像群１であり、輝度値がＹ（ｂ２）である黒色画面の残像と輝度値がＹ（ｗ２）である白色画面の残像とが残像群２である。１つの残像群内で、黒色画面の残像と白色画面の残像とが示す残像の程度は、お互いに接近する。つまり、黒色画面の残像と残像テストをする前のディスプレイの輝度値との差の絶対値と、白色画面の残像と残像テストをする前のディスプレイの輝度値との差の絶対値とは、その差が設定範囲内にあり、或いはお互いに接近する。図３に示すように、残像群１及び残像群２の面積指数は、それぞれ６/１５及び４/１５であり、ディスプレイの全ての残像群が対応する残像指数の和ＳＱは、
【数１】
0006430416.tif 000002
である。
確定されたＳＱ値、及び予め設定された残像指数と残像レベルとの対応関係により、ディスプレイの残像レベルを確定することができる。
【００３７】
本発明の実施形態において、黒白が交互する碁盤目画面によってディスプレイに対して残像テストをしてディスプレイの残像レベルを確定する方法は、以下のステップを含む。
【００３８】
Ｓ４０１：ディスプレイに単一の色値を有する画面を表示し、このときのディスプレイの輝度値をテストする。
１つの実施形態において、全画面に図５及び図６に示す色値が（１２７,１２７,１２７）である灰色の画面を選択し、このときのディスプレイの輝度値Ｙを光学テスト設備によってテストする。
【００３９】
Ｓ４０２：黒白が交互する碁盤目画面によってディスプレイに対して残像テストをする。
例えば、図５及び図６に示す碁盤目画面である。
【００４０】
Ｓ４０３：残像テストをした後、ディスプレイの画面を残像テストをする前の画面に切り替える。このとき、ディスプレイが図５に示す単一の色値を有する残像を表示すると、ステップＳ４０４に入り、ディスプレイが図６に示す複数の色値を有する残像を表示すると、ステップＳ４０６に入る。
図５は、残像テストをした後、ディスプレイが単一の輝度値を有する残像を表示することを示す概略図である。図６は、残像テストをした後、ディスプレイが複数の輝度値を有する残像を表示することを示す概略図である。
【００４１】
Ｓ４０４：元の黒白が交互する碁盤目画面における黒目及び白目の残像の輝度値Ｙ（ｂ）及びＹ（ｗ）をテストし、表示される残像の面積指数Ｂを確定し、ステップＳ４０５に入る。
【００４２】
Ｓ４０５：以下の式によってディスプレイの残像指数Ｑを確定し、確定された残像指数によってディスプレイの残像レベルを確定する。
【数２】
0006430416.tif 000003
【００４３】
Ｓ４０６：元の黒白碁盤目において、黒目の残像おける複数の輝度値及び白目の残像における複数の輝度値を確定する。
図６に示すように、黒目の残像の輝度値はＹ（ｂ１）及びＹ（ｂ２）であり、白目の残像の輝度値はＹ（ｗ１）及びＹ（ｗ２）である。
【００４４】
Ｓ４０７：黒目及び白目の残像の輝度値と残像テストをする前のディスプレイの輝度値との差値の絶対値によって、１つの輝度値に対応する全ての黒目の残像と、１つの輝度値に対応する全ての白目の残像とを、１つの残像群に区画する。
例えば、|Ｙ（ｂ１）−Ｙ｜の値が|Ｙ（ｗ１）−Ｙ｜の値に接近し、|Ｙ（ｂ２）−Ｙ｜の値が|Ｙ（ｗ２）−Ｙ｜の値に接近するため、Ｙ（ｂ１）及びＹ（ｗ１）を残像群１として区画し、Ｙ（ｂ２）及びＹ（ｗ２）を残像群２として区画する。
【００４５】
Ｓ４０８：１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得る。
【００４６】
Ｓ４０９：全ての残像群に対応する残像指数を加えて得た結果によって、ディスプレイの残像レベルを確定する。
例えば、図６において、残像群１に対応する残像の面積指数はＢ１であり、残像群２に対応する残像の面積指数はＢ２であり、全ての残像群に対応する残像指数の和ＳＱは、
【数３】
0006430416.tif 000004
である。
【００４７】
最後に、確定されたＳＱ値によってディスプレイの残像レベルを確定する。例えば、ディスプレイのＳＱ値が０．１以下である場合、ディスプレイの残像レベルを一級に確定し、或は、ディスプレイの残像レベルが合格であると確定する。
【００４８】
同じ発明構想により、本発明実施形態は、ディスプレイの残像レベルを確定する方法に対応する残像レベルを確定する装置をさらに提供する。課題を解決する当該装置の原理が本発明の実施形態に係る残像レベルを確定する方法に類似するため、当該装置の実施方式は、上記確定方法の実施形態を参照でき、重複して贅言しない。
【００４９】
図７は、本発明実施形態に係る残像レベルを確定する装置の構造図である。当該装置は、
残像テストをした後、ディスプレイに表示される残像の輝度変化指数及び表示される残像の面積指数を確定する第１確定モジュール７１と、
確定された表示される残像の輝度変化指数及び面積指数によってディスプレイの残像レベルを確定する第２確定モジュール７２と、を備え、
その中で、残像の輝度変化指数とは、残像テストをした後にディスプレイに表示される残像の輝度差の値と残像テストをする前のディスプレイの輝度値との百分比であり、残像の面積指数とは、残像面積がディスプレイの表示面積を占める百分比である。
【００５０】
本発明の実施形態に係るディスプレイの残像レベルを確定する装置は、光学テスト設備、残像テスト設備、及びコンピュータ制御設備等からなる１セットの装置であってもよく、光学テスト機能、残像テスト機能、及び制御、計算等の機能を集めた１つの装置であってもよい。
【００５１】
例えば、第１確定モジュール７１が確定する、残像テストをする前のディスプレイの輝度値は、ディスプレイが単一の色値の画面を表示するときの輝度値である。
【００５２】
例えば、第２確定モジュール７２は、確定された残像の輝度変化指数と面積指数との積によってディスプレイの残像レベルを確定する。
【００５３】
例えば、第１確定モジュール７１は、残像テストをする時にディスプレイに表示される画面が単一の色値を有する画面である場合、残像テストをした後にディスプレイに表示される残像の１つの輝度値に対して、当該輝度値と残像テストをする前のディスプレイの輝度値との差値の絶対値を、当該輝度値に対応する輝度差の値とするものであり、残像テストをする時にディスプレイに表示される画面が黒色及び白色の２種類を有する画面である場合、残像テストをした後に黒色画面の残像及び白色画面の残像に対応する１群の輝度値に対して、当該群において黒色画面の残像と白色画面の残像に対応する輝度値の差値の絶対値を、当該群の輝度値に対応する輝度差の値とするものである。
【００５４】
例えば、残像テストをする時にディスプレイに表示される画面が単一の色値を有する画面である場合、第１確定モジュール７１は、残像テストをした後、ディスプレイに表示される残像が２つ以上の輝度値を有すると、その中の１つの輝度値に対して、当該輝度値に対応する輝度差の値によって当該輝度値に対応する輝度変化指数を確定し、当該輝度値に対応する輝度変化指数と当該輝度値を有する残像の面積指数とを掛けて当該輝度値に対応する残像指数を得て、全ての輝度値に対応する残像指数を加えて得た結果によって、前記残像レベルを確定する。
【００５５】
例えば、残像テストをする時にディスプレイに表示される画面が黒色及び白色の２種類を有する画面である場合、
第１確定モジュール７１は、
残像テストをした後にディスプレイが表示する画面の全ての領域ブロックから残像を有する領域ブロックを選択して、残像を有する各領域ブロックに対応する輝度値を確定し、この全ての領域ブロックにおいて、同じ輝度値を有する領域ブロックを１つの残像領域に区画し、１つの黒色画面の残像領域及び１つの白色画面の残像領域によって１つの残像群を区画し、その中の１つの残像群に対して、当該群内の黒色画面の残像領域及び白色画面の残像領域に対応する残像の輝度値の差を当該群に対応する輝度差の値とし、
その中で、ディスプレイが表示する画面の全ての領域ブロックにおける各領域ブロックは、黒色画面の残像のみを含み、或は白色画面の残像のみを含み、或いはいずれの残像も含んでおらず、
同一の群内で、黒色画面の残像領域に対応する輝度値と残像テストをする前にディスプレイに表示された画面の輝度値との差値の絶対値と、白色画面の残像領域に対応する輝度値と残像テストをする前にディスプレイに表示された画面の輝度値との差値の絶対値とは、その差が設定範囲内にある、
ものであり、
第２確定モジュール７２は、
１つの残像群に対して、当該残像群に対応する輝度差の値によって当該輝度差の値に対応する輝度変化指数を確定し、当該残像群に対応する輝度変化指数と当該残像群に対応する面積指数とを掛けて当該残像群に対応する残像指数を得て、
全ての残像群に対応する残像指数を加えて得た結果によって、ディスプレイの残像レベルを確定する、
ものである。
【００５６】
当然に、本発明の実施形態は、方法、システム、コンピュータプログラムの形態で提供できる。従って、本発明は、ハードウェアで実施されてもよく、ソフトウェアで実施されてもよく、或いは、ソフトウェア及びハードウェアを組み合わせて実施されでもよい。さらに、本発明は、コンピュータに利用可能なプログラムコードを有する１つ又は複数のコンピュータに利用可能な記憶媒体（磁気的ディスクメモリー、ＣＤ−ＲＯＭ、光メモリ等を含むが、これらに限られない）に用いられるコンピュータプログラムであってもよい。
【００５７】
本発明は、本発明の実施形態に係る方法、装置（システム）及びコンピュータプログラムのフローチャート及び／又はブロック図によって説明された。フローチャート及び／又はブロック図の各フロー及び／又はブロック、及びフローチャート及び／又はブロック図のフロー及び／又はブロックの組み合わせは、コンピュータプログラムの命令によって実現できる。コンピュータ又は他のプログラミング可能なデータ処理装置のプロセッサーにより実行される指令によって、フローチャートの１つのフロー又は複数のフロー及び／またはブロック図の１つのブロック又は複数のブロックに指定される機能を実現するように、これらのコンピュータプログラム指令を汎用コンピュータ、専用コンピュータ、挿入式プロセッサー又は他のプログラミング可能なデータ処理装置のプロセッサーに提供してもよい。
【００５８】
これらのコンピュータプログラム指令は、コンピュータ又は他のプログラミング可能なデータ処理装置を特定の方式で作業するようにガイドするコンピュータの読み取り可能なメモリに記憶されてもよい。これにより、当該コンピュータの読み取り可能なメモリに記憶される指令は、フローチャートの１つ又は複数のフロー流程及び／又はブロック図の１つ又は複数のブロックに指定された機能を実現する指令装置を備える製品に用いられる。
【００５９】
これらのコンピュータプログラム指令は、コンピュータ又は他のプログラミング可能なデータ処理装置にインストールされてもよい。これによって、コンピュータ又は他のプログラミング可能なデータ処理装置が一系列の操作ステップを実行して、コンピュータ処理を実現する。コンピュータ又は他のプログラミング可能なデータ処理装置で実行される指令は、フローチャートの１つ又は複数のフロー及び／又はブロック図の１つ又は複数のブロックに指定される機能を実現する。
【００６０】
以上、本発明の好ましい実施形態を説明したが、当業者は、その基本的な創造性の概念を理解すると、これらの実施形態に対して変更及び補正を行うことができる。従って、特許請求の範囲は、好ましい実施形態、本発明の範囲に入る全ての変更及び補正を含む。
【００６１】
本発明の精神及び範囲から逸脱しない場合、当業者は、本発明を様々な方法で改善して変更することができる。このような本発明に対する改善及び変形が、本発明の請求項及びそれと等価である技術の範囲内にあると、本発明は、これらの改善及び変形をも含むものである。
【符号の説明】
【００６２】
７１  第１確定モジュール
７２  第２確定モジュール
【図１】
0006430416.tif 000005
【図２】
0006430416.tif 000006
【図３】
0006430416.tif 000007
【図４】
0006430416.tif 000008
【図５】
0006430416.tif 000009